【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
ソケット側信号用端子およびソケット側電源用端子が配設される略矩形状のソケットハウジングを有するソケットと、ヘッダ側信号用端子およびヘッダ側電源用端子が配設される略矩形状のヘッダハウジングを有するヘッダと、を備え、前記ソケットハウジングと前記ヘッダハウジングとを嵌合させることで、前記ソケット側信号用端子と前記ヘッダ側信号用端子とが接触するとともに、前記ソケット側電源用端子と前記ヘッダ側電源用端子とが接触するコネクタであって、
前記ソケットハウジングには、ソケット側保持金具が配設されており、
前記ソケット側保持金具は、回路基板に形成された回路パターンに半田付けされる固定端子を有しており、
前記ソケット側電源用端子は、前記回路基板に形成された回路パターンに半田付けされる付け根部を有しており、
前記固定端子と前記付け根部とが共通の回路パターンに半田付けされていることを特徴とするコネクタ。
【請求項２】
前記ソケット側保持金具と前記ソケット側電源用端子とが隣り合うように配置されていることを特徴とする請求項１に記載のコネクタ。
【請求項３】
前記ソケット側保持金具の少なくとも一部が前記ソケットハウジングの外面に沿って露出していることを特徴とする請求項１または請求項２に記載のコネクタ。
【請求項４】
前記ソケット側保持金具は、前記ソケットハウジングの側面および底面のうち少なくともいずれか一方の面に沿って露出していることを特徴とする請求項３に記載のコネクタ。
【請求項５】
前記ソケット側保持金具がインサート成形によって前記ソケットハウジングに配設されていることを特徴とする請求項１〜４のうちいずれか１項に記載のコネクタ。
【請求項６】
前記固定端子は、第１の固定端子と、当該第１の固定端子とは別に形成される第２の固定端子と、を有することを特徴とする請求項１〜５のうちいずれか１項に記載のコネクタ。
【請求項７】
前記第１の固定端子および前記第２の固定端子が、前記付け根部が半田付けされる回路パターンに半田付けされていることを特徴とする請求項１〜６のうちいずれか１項に記載のコネクタ。
【請求項８】
ソケット側信号用端子およびソケット側電源用端子が配設される略矩形状のソケットハウジングを有するソケットと、ヘッダ側信号用端子およびヘッダ側電源用端子が配設される略矩形状のヘッダハウジングを有するヘッダと、を備え、前記ソケットハウジングと前記ヘッダハウジングとを嵌合させることで、前記ソケット側信号用端子と前記ヘッダ側信号用端子とが接触するとともに、前記ソケット側電源用端子と前記ヘッダ側電源用端子とが接触するコネクタであって、
前記ヘッダハウジングには、ヘッダ側保持金具が配設されており、
前記ヘッダ側保持金具は、回路基板に形成された回路パターンに半田付けされる固定端子を有しており、
前記ヘッダ側電源用端子は、前記回路基板に形成された回路パターンに半田付けされる付け根部を有しており、
前記固定端子と前記付け根部とが共通の回路パターンに半田付けされていることを特徴とするコネクタ。
【請求項９】
前記ヘッダ側保持金具と前記ヘッダ側電源用端子とが隣り合うように配置されていることを特徴とする請求項１に記載のコネクタ。
【請求項１０】
ソケット側信号用端子およびソケット側電源用端子が配設される略矩形状のソケットハウジングを有するソケットと、ヘッダ側信号用端子およびヘッダ側電源用端子が配設される略矩形状のヘッダハウジングを有するヘッダと、を備え、前記ソケットハウジングと前記ヘッダハウジングとを嵌合させることで、前記ソケット側信号用端子と前記ヘッダ側信号用端子とが接触するとともに、前記ソケット側電源用端子と前記ヘッダ側電源用端子とが接触するコネクタであって、
前記ソケットハウジングには、ソケット側保持金具が配設されており、
前記ソケット側保持金具は、第１の回路基板に形成された回路パターンに半田付けされる固定端子を有しており、
前記ソケット側電源用端子は、前記第１の回路基板に形成された回路パターンに半田付けされる付け根部を有しており、
前記固定端子と前記ソケット側電源用端子の付け根部とが、前記第１の回路基板に形成された共通の回路パターンに半田付けされており、
前記ヘッダハウジングには、ヘッダ側保持金具が配設されており、
前記ヘッダ側保持金具は、第２の回路基板に形成された回路パターンに半田付けされる固定端子を有しており、
前記ヘッダ側電源用端子は、前記第２の回路基板に形成された回路パターンに半田付けされる付け根部を有しており、
前記固定端子と前記ヘッダ側電源用端子の付け根部とが、前記第２の回路基板に形成された共通の回路パターンに半田付けされていることを特徴とするコネクタ。
【請求項１１】
請求項１〜１０のうちいずれか１項に記載のコネクタに用いられるソケット。
【請求項１２】
請求項１〜１０のうちいずれか１項に記載のコネクタに用いられるヘッダ。
【手続補正２】
【補正対象書類名】明細書
【補正対象項目名】００１１
【補正方法】変更
【補正の内容】
【００１１】
また、本発明は、ソケット側信号用端子およびソケット側電源用端子が配設される略矩形状のソケットハウジングを有するソケットと、ヘッダ側信号用端子およびヘッダ側電源用端子が配設される略矩形状のヘッダハウジングを有するヘッダと、を備え、前記ソケットハウジングと前記ヘッダハウジングとを嵌合させることで、前記ソケット側信号用端子と前記ヘッダ側信号用端子とが接触するとともに、前記ソケット側電源用端子と前記ヘッダ側電源用端子とが接触するコネクタであって、前記ソケットハウジングには、ソケット側保持金具が配設されており、前記ソケット側保持金具は、第１の回路基板に形成された回路パターンに半田付けされる固定端子を有しており、前記ソケット側電源用端子は、前記第１の回路基板に形成された回路パターンに半田付けされる付け根部を有しており、前記固定端子と前記ソケット側電源用端子の付け根部とが、前記第１の回路基板に形成された共通の回路パターンに半田付けされており、前記ヘッダハウジングには、ヘッダ側保持金具が配設されており、前記ヘッダ側保持金具は、第２の回路基板に形成された回路パターンに半田付けされる固定端子を有しており、前記ヘッダ側電源用端子は、前記第２の回路基板に形成された回路パターンに半田付けされる付け根部を有しており、前記固定端子と前記ヘッダ側電源用端子の付け根部とが、前記第２の回路基板に形成された共通の回路パターンに半田付けされていることを要旨とする。
【手続補正３】
【補正対象書類名】明細書
【補正対象項目名】００１６
【補正方法】変更
【補正の内容】
【００１６】
以下、本発明の実施形態について図面を参照しつつ詳細に説明する。なお、以下では、コネクタ、ヘッダハウジングおよびソケットハウジングの長手方向をＸ方向、コネクタ、ヘッダハウジングおよびソケットハウジングの幅方向（短手方向）をＹ方向、図２９から図３２におけるコネクタの上下方向をＺ方向として説明する。また、ソケットおよびヘッダは、図２９から図３２に示す状態における上側を上下方向上側（表面側）、下側を上下方向下側（裏面側）として説明する。
【手続補正４】
【補正対象書類名】明細書
【補正対象項目名】０２３１
【補正方法】変更
【補正の内容】
【０２３１】
また、ソケット側保持金具３４は、第１の回路基板６０に形成された回路パターン６１に半田付けされる固定端子３４ｄを有している。そして、ソケット側電源用端子３３は、第１の回路基板６０に形成された回路パターン６１に半田付けされる付け根部３３ａを有している。そして、固定端子３４ｄと付け根部３３ａとが共通の回路パターン６１ｂに半田付けされている。
【手続補正５】
【補正対象書類名】明細書
【補正対象項目名】０２５４
【補正方法】変更
【補正の内容】
【０２５４】
また、ソケットハウジングやヘッダハウジング、その他細部のスペック（形状、大きさ、レイアウト等）も適宜に変更可能である。
【手続補正６】
【補正対象書類名】明細書
【補正対象項目名】０２５５
【補正方法】変更
【補正の内容】
【０２５５】
１０  コネクタ
２０  ヘッダ
２１  ヘッダハウジング
２２  ヘッダ側信号用端子
２２ａ  付け根部
２２ｃ  凹部
２２ｅ  被係止部
２３  ヘッダ側電源用端子
２３ａ  付け根部
２３ｃ  凹部
２３ｅ  被係止部
２４  ヘッダ側保持金具
２４ａ  固定端子
３０  ソケット
３１  ソケットハウジング
３１ｓ  外面
３１ｔ  側面
３１ｕ  底面
３２  ソケット側信号用端子
３２ａ  付け根部
３３  ソケット側電源用端子
３３ａ  付け根部
３５  片部
３６  片部
３４  ソケット側保持金具
３４ｄ  固定端子
３４ｊ  第１の固定端子
３４ｋ  第２の固定端子
３４ｅ  外壁面
３４ｆ  外面
４０  第２の回路基板
４１  回路パターン
５０  半田
６０  第１の回路基板
６１  回路パターン
７０  半田
Ｒ１〜Ｒ５  接点部
Ｃ１、Ｃ２  接点
Ｘ  長手方向
Ｙ  短手方向（幅方向）
Ｚ  上下方向